(57)【特許請求の範囲】
【請求項１】
外部から中心部に向かって予混合ガスを導入する予混合ガス流路を備えた予混合室と、
前記予混合室と伝熱隔壁を隔てて設けられており、かつ、前記予混合室から供給された予混合ガスの燃焼により生じた排気ガスを、中心部から外部に向かって排出する排気ガス流路を備えた燃焼室とを有し、
前記燃焼により加熱される燃焼室の上部加熱板の内部に、その下側に形成された溝部の開口が前記排気ガス流路を構成する流路壁の上部端面に塞がれてなる流体流路が形成されていることを特徴とする熱交換器。
【請求項２】
外部から中心部に向かって予混合ガスを導入する予混合ガス流路を備えた予混合室と、
前記予混合室と伝熱隔壁を隔てて設けられており、かつ、前記予混合室から供給された予混合ガスの燃焼により生じた排気ガスを、中心部から外部に向かって排出する排気ガス流路を備えた燃焼室とを有し、
前記燃焼により加熱される燃焼室の上部加熱板の内部に、第１の流体流路が形成され、
前記排気ガス流路を構成する流路壁の内部に、前記第１の流体流路に連通する第２の流体流路が形成されていることを特徴とする熱交換器。
【請求項３】
前記第１の流体流路は、前記排気ガス流路を構成する流路壁に沿って形成されていることを特徴とする請求項２に記載の熱交換器。
【請求項４】
前記伝熱隔壁の内部に、前記上部加熱板の内部に形成された流体流路に連通する第３の流体流路が形成されていることを特徴とする請求項１から３の何れかに記載の熱交換器。
【請求項５】
請求項１から４の何れかに記載の熱交換器に流体として水を導入し、
前記熱交換器内にて生成したスチームを加熱庫内に流入させることを特徴とする加熱調理器。
【請求項６】
前記熱交換器の燃焼室から排出される排気ガスを、加熱庫内雰囲気の加熱に利用することを特徴とする請求項５に記載の加熱調理器。
【発明の詳細な説明】
【技術分野】
【０００１】
本発明は、熱交換器およびこれを用いた加熱調理器に関するものである。
【背景技術】
【０００２】
熱交換器は、一般に、高温の固体から低温の流体へ、または、高温の流体から低温の固体へ、あるいは、高温の流体から低温の流体へ熱を伝える装置である。熱交換器を利用すれば、例えば、温水やスチームなどを発生させることができる。
【０００３】
従来、熱交換器としては、例えば、特許文献１に記載されるような、いわゆる、マイクロコンバスタを用いた熱交換器が知られている。
【０００４】
マイクロコンバスタは、化石燃料の燃焼熱を直接利用することができる燃焼器である。そのため、電気ヒータなどに比べ、約６割ものエネルギーを失う発電過程を省略することができることから、大幅な省エネルギー化を図ることができる技術として近年脚光を浴びている。
【０００５】
特許文献１に記載の熱交換器は、具体的には、未燃焼ガス流路と燃焼ガス流路とを伝熱壁を挟んで形成し、未燃焼ガスを燃焼室で燃焼させて本体両面にある加熱板を加熱するとともに、燃焼ガスの熱で未燃焼ガスの予熱を行うマイクロコンバスタを用いたもので、本体の加熱板に沿って熱交換チューブが設けられている（特許文献１の図５参照）。
【０００６】
なお、特許文献２の加熱調理器は、スチーム源として熱交換器を利用してはいないが、特許文献２に示されるように、加熱タンク内の水をバーナにより加熱し、生成したスチームを加熱庫内に吹き込む、いわゆるスチームコンベクションオーブンが公知である。
【０００７】
【特許文献１】特開２００７−８５６１７号公報（図５）
【特許文献２】特開平９−１１９６４２号公報
【発明の開示】
【発明が解決しようとする課題】
【０００８】
しかしながら、従来の熱交換器は、以下のような問題があった。すなわち、従来の熱交換器は、水などの流体を流通させる熱交換チューブが、本体の加熱板に沿って設けられている。そのため、熱交換チューブを流れる流体と熱源との熱交換を考えた場合、外気温度によって熱効率が低下することが懸念される。そのため、効率良く温水やスチームを発生させるには、未だ改良の余地があった。
【０００９】
本発明は、上記問題点に鑑みてなされたもので、本発明が解決しようとする課題は、従来より熱効率を向上可能な熱交換器、また、これを用いた加熱調理器を提供することにある。
【課題を解決するための手段】
【００１０】
上記課題を解決するため、本発明に係る熱交換器は、外部から中心部に向かって予混合ガスを導入する予混合ガス流路を備えた予混合室と、前記予混合室と伝熱隔壁を隔てて設けられており、かつ、前記予混合室から供給された予混合ガスの燃焼により生じた排気ガスを、中心部から外部に向かって排出する排気ガス流路を備えた燃焼室とを有し、前記燃焼により加熱される燃焼室の上部加熱板の内部に、その下側に形成された溝部の開口が前記排気ガス流路を構成する流路壁の上部端面に塞がれてなる流体流路が形成されていることを要旨とする。
【００１１】
また、別の本発明に係る熱交換器は、外部から中心部に向かって予混合ガスを導入する予混合ガス流路を備えた予混合室と、前記予混合室と伝熱隔壁を隔てて設けられており、かつ、前記予混合室から供給された予混合ガスの燃焼により生じた排気ガスを、中心部から外部に向かって排出する排気ガス流路を備えた燃焼室とを有し、前記燃焼により加熱される燃焼室の上部加熱板の内部に、第１の流体流路が形成され、前記排気ガス流路を構成する流路壁の内部に、前記第１の流体流路に連通する第２の流体流路が形成されていることを要旨とする。
【００１２】
この際、上記第１の流体流路は、上記排気ガス流路を構成する流路壁に沿って形成されていると良い。
【００１３】
前記伝熱隔壁の内部に、前記上部加熱板の内部に形成された流体流路に連通する第３の流体流路が形成されていると良い。
【００１４】
一方、本発明に係る加熱調理器は、上記熱交換器に流体として水を導入し、この熱交換器内にて生成したスチームを加熱庫内に流入させることを要旨とする。
【００１５】
この場合、熱交換器の燃焼室から排出される排気ガスは、加熱庫内雰囲気の加熱に利用するのが好ましい。
【発明の効果】
【００１６】
本発明に係る熱交換器は、予混合室と燃焼室との２室が伝熱隔壁により隔てられており、上記燃焼室の上部加熱板の内部に第１の流体流路が形成されている。
【００１７】
そのため、第１の流体流路と外気との接触を極力抑制することができ、外部からの冷却を防止することが可能になる。したがって、本発明に係る熱交換器は、外部に流体流路が曝されている場合に比較して、熱効率を向上させることができ、効率良く温水やスチームなどを発生させることが可能になる。
【００１８】
また、上記熱交換器によれば、器内に導入する水などの流体の流量を制御することにより、発生させる温水量やスチーム量などを容易に制御することができる。
【００１９】
ここで、排気ガス流路を構成する流路壁の内部に、第１の流体流路に連通する第２の流体流路が形成されている場合には、上部加熱板の内部だけで熱交換を行う場合に比較して、大きな熱交換領域を確保することが可能になる。
【００２０】
そのため、流体流路を流れる流体への伝熱量が増大し、熱効率を一層向上させることが可能になる。
【００２１】
この際、第１の流体流路が、排気ガス流路を構成する流路壁に沿って形成されている場合には、第１の流体流路と第２の流体流路との間を連通させやすくなる。また、流体も流通させやすい。
【００２２】
また、上記伝熱隔壁の内部に、第１の流体流路に連通する第３の流体流路が形成されている場合には、上部加熱板の内部だけで熱交換を行う場合、あるいは、上部加熱板および流路壁の内部で熱交換を行う場合に比較して、大きな熱交換領域を確保することが可能になる。
【００２３】
そのため、流体流路を流れる流体への伝熱量が増大し、熱効率を一層向上させることが可能になる。
【００２４】
一方、本発明に係る加熱調理器は、上記熱交換器に流体として水を導入し、熱交換器内にて生成したスチームを加熱庫内に流入させる。
【００２５】
すなわち、上記熱交換器をスチーム発生器として用いることで、高い熱効率でスチームを加熱庫内に供給することができる。
【００２６】
また、従来必要であった加熱タンクが不要となることから、加熱調理器の小型化が可能になる。
【００２７】
さらに、熱交換器内に導入する水量をバルブ制御などで制御することにより、発生させるスチーム量を容易に制御することができ、調理性の向上に寄与することができる。
【００２８】
この際、熱交換器の燃焼室から排出される排気ガスを、加熱庫内雰囲気の加熱に利用するように構成した場合には、上記熱交換器により、熱風とスチームとを同時に供給することが可能になる。そのため、従来、熱風発生に使用していた加熱装置を省略することが可能になり、加熱調理器のさらなる小型化に寄与することが可能になる。
【発明を実施するための最良の形態】
【００２９】
以下、本発明の一実施形態に係る熱交換器（以下、「本熱交換器」ということがある。）、これを用いた加熱調理器について説明する。
【００３０】
図１は、本熱交換器の一例を模式的に示した分解斜視図である。図２は、図１に示した本熱交換器の断面を模式的に示した図である。
【００３１】
本熱交換器１０は、予混合室１２と、予混合室１２と伝熱隔壁３０を隔てて設けられた燃焼室１６とを有している。
【００３２】
本熱交換器１０において、予混合室１２は、ステンレス鋼、銅、銅合金、耐熱鋳鋼などの金属材料をプレス加工、鋳造、研削加工などすることにより、一端面が開口した有底略円柱状に形成されている。予混合室１２は、底板１８と、外周壁２０と、後述する燃焼室１６の底板３０とにより囲まれることで密閉される。
【００３３】
予混合室１２の外周壁２０には、予混合ガスＦを導入する予混合ガス導入口２２が設けられている。なお、予混合ガス導入口２２は、図１および図２では１つとされているが、これに限定されるものではなく、複数個形成されていても良い。
【００３４】
予混合室１２の内部には、外部から中心部に向かって予混合ガスＦを導入する予混合ガス流路２４が形成されている。予混合ガス流路２４は、流路壁２６（外周壁２０も含む）と、底板１８と、後述する燃焼室１６の底板３０とにより囲まれた空間によって形成されている。
【００３５】
なお、図１および図２では、予混合ガス流路２４は、略渦巻状に形成されているが、これに限定されるものではなく、外部から中心部に向かう放射状に形成されていても構わない。好ましくは、器内に導入された予混合ガスＦが、中心部にたどり着くまでの距離・時間を長くでき、十分に予熱することができるなどの観点から、予混合ガス流路２４は、略渦巻状に形成されていると良い。
【００３６】
予混合室１２は、その中心部に、最も内側の流路壁２６によって取り囲まれた空間２８を有している。この空間２８は、予混合ガス流路２４の中心部側の開口端部と連通されている。
【００３７】
本熱交換器１０において、燃焼室１６は、ステンレス鋼、銅、銅合金、耐熱鋳鋼などの金属材料をプレス加工、鋳造、研削加工などすることにより、一端面が開口した有底略円柱状に形成されている。燃焼室１６は、底板３０と、外周壁３２と、上部加熱板３４とにより囲まれることで密閉される。
【００３８】
なお、本熱交換器１０では、燃焼室１６の底板３０が、燃焼室１６で発生した熱を予混合室１２側に伝えるとともに、予混合室１２と燃焼室１６との間を区画する伝熱隔壁３０としての役割を果たしていることになる。
【００３９】
本熱交換器１０は、上記以外にも、例えば、一端が開口した有底略円柱状の予混合室形成部材と、一端面が開口した有底略円柱状の燃焼室形成部材と両開口面を対峙させて配置し、この開口面間に別体の伝熱隔壁を介在させるなどして構成されていても良い。また、予混合室１２に天板を設け、これを伝熱隔壁として使用することもできる。
【００４０】
燃焼室１６の外周壁３２には、排気ガスＥを排出する排気ガス排出口３６が設けられている。なお、排気ガス排出口３６は、図１および図２では１つとされているが、これに限定されるものではなく、複数個形成されていても良い。
【００４１】
燃焼室１６の内部には、中心部から外部に向かって排気ガスＥを排出する排気ガス流路３８が形成されている。排気ガス流路３８は、流路壁４０（外周壁３２も含む）と、上部加熱板３４と、底板３０（伝熱隔壁）とにより囲まれた空間によって形成されている。
【００４２】
なお、図１および図２では、排気ガス流路３８は、略渦巻状に形成されているが、これに限定されるものではなく、外部から中心部に向かう放射状に形成されていても構わない。好ましくは、器外に排出される排気ガスＥが、外部にたどり着くまでの距離・時間を長くでき、後述する流体との熱交換性に優れる、予混合室１２内の予混合ガスＦを予熱しやすい、排気ガスＥの排出性が良いなどの観点から、排気ガス流路３８は、略渦巻状に形成されていると良い。
【００４３】
燃焼室１６は、その中心部に、最も内側の流路壁４０によって取り囲まれた燃焼空間４２を有している。この燃焼空間４２は、排気ガス流路３８の中心部側の開口端部と連通されている。
【００４４】
本熱交換器１０は、予混合室１２および燃焼室１６の中心部がほぼ一致するように、予混合室１２の片面側に燃焼室１６が並設されることにより２層構造とされている。
【００４５】
本熱交換器１０では、予混合室１２および燃焼室１６のほぼ中心部に、着火手段（不図示）が設けられている。
【００４６】
着火手段としては、具体的には、例えば、イグナイタ、セラミックヒータなどを例示することができるが、特に限定されるものではない。
【００４７】
着火手段は、その着火点が燃焼室側になるように配置されている。具体的には、予混合室１２側から燃焼室１６側に向かって着火手段を挿通し、その着火点が燃焼室１６の燃焼空間４２のほぼ中心部になるように配置すれば良い。
【００４８】
また、本熱交換器１０では、上記着火手段の周囲に、消炎孔（不図示）が複数配置されている。この消炎孔は、予混合室１２と燃焼室１６とを連通し、予混合室１２内に供給された予混合ガスＦを、燃焼室１６内に流入させる役割を有している。
【００４９】
上記消炎孔は、具体的には、予混合室１２の空間２８に対応する燃焼室１６の底板３０（伝熱隔壁）に形成することができる。それ以外にも、例えば、消炎孔は、燃焼室１６の底板３０（予混合室１２の空間２８側など）に取り付けたセラミックス体に複数形成しても良い。この場合には、消炎孔周辺の耐熱性が向上するため、燃焼室１６内の高熱により、比較的小さな消炎孔が、酸化されたり、変形が生じたりし難くなり、耐久性が向上するなどの利点がある
【００５０】
なお、消炎孔とは、消炎直径以下の直径を有する孔を意味する。予混合室１２と燃焼室１６とを連通する孔の直径が、消炎直径以下であれば、燃焼室１６で生じた火炎が予混合室１２側へ逆火することを防止することができる。
【００５１】
また、消炎孔の数は、特に限定されるものではく、使用する燃料の種類、インプット量などに応じて、種々調節することができる。また、具体的な消炎直径については、燃料の種類、予混合ガスＦの吹き出し速度、想定される予混合ガスＦの温度などを考慮して決定することができるものである。
【００５２】
ここで、本熱交換器１０は、図１および図２に示すように、上部加熱板３４の内部に、第１の流体流路４４が形成されている。なお、本熱交換器１０の器内に導入される流体としては、具体的には、水などが挙げられる。
【００５３】
図１および図２では、燃焼室１６の排気ガス流路３８を構成する略渦巻状の流路壁４０に沿って、上部加熱板３４の裏面に略渦巻状に溝部４６が形成されることにより、第１の流体流路４４とされている。この場合、第１の流体流路４４は、上部加熱板３４に形成された溝部４６と、排気ガス流路３８の流路壁４０の上部端面とにより囲まれた空間より構成されることになる。
【００５４】
このように、排気ガス流路３８を構成する流路壁４０に沿って第１の流体流路４４が形成されている場合には、第１の流体流路４４と後述する第２の流体流路５２との間を連通させやすくなる利点がある。
【００５５】
また、上部加熱板３４表面のうち、燃焼空間４２に近接する部分には、上部加熱板３４内の第１の流体流路４４に流体を導入する流体導入口４８が設けられている。また、上部加熱板３４の側壁には、第１の流体流路４４内で熱交換により加熱された流体を吐出する流体吐出口５０が設けられている。
【００５６】
なお、本熱交換器１０では、器内に導入する水などの流体の流量を調節すれば、温水などの加熱された液体や、スチームなどの加熱された気体を流体吐出口５０から吐出させることができる。
【００５７】
図１および図２では、第１の流路経路４４が略渦巻状に形成されている場合を例示したが、第１の流体流路４４の流路形態は上記形態に限定されるものではない。
【００５８】
すなわち、第１の流体流路４４は、排気ガス流路３８を構成する流路壁４０に沿って形成されていなくても良く、上部加熱板３４の内部に任意の経路で形成されていても良い。
【００５９】
図３は、第１の流体流路の変形例を模式的に示した図である。なお、図３は、本熱交換器を上方から見た図である。
【００６０】
図３（ａ）に例示したように、第１の流体流路４４は、略蛇腹状など、蛇行状に形成されていても良いし、図３（ｂ）に例示したように、角形状の略渦巻状に形成されていても良い。なお、これら流路は、例えば、上部加熱板３４の裏面に任意の経路で溝部（不図示）を形成し、上部加熱板３４の裏面を金属板材などで蓋をするなどすれば形成可能である。
【００６１】
図４は、本熱交換器の他の例を模式的に示した分解斜視図である。図５は、図４に示した本熱交換器の断面を模式的に示した図である。
【００６２】
図４の本熱交換器１０は、排気ガス流路３８を構成する流路壁４０の内部に、第２の流体流路５２が形成されている。そして、第２の流体流路５２は、流路壁４０に沿って形成された第１の流体流路４４に連通されている。
【００６３】
このような構成にした場合には、上部加熱板３４の内部だけで熱交換を行う場合に比較して、流路壁４０内部でも熱交換を行うことができるため、大きな熱交換領域を確保することが可能になる。そのため、流路内を流れる流体への伝熱量が増大し、熱効率を一層向上させることが可能になる。
【００６４】
図６は、本熱交換器の別の他の例を模式的に示した断面図である。図６の本熱交換器１０は、燃焼室１６の底板３０、つまり、伝熱隔壁の内部に、第３の流体流路５４が形成されている。この第３の流体流路５４は、連通管５６を介して、第１の流体流路４４に接続されている。
【００６５】
なお、第３の流体流路５４の一端部には、流体を導入する流体導入口４８が設けられており、第１の流体流路４４の一端部には、器内で熱交換により加熱された流体を吐出する流体吐出口５０が設けられている。
【００６６】
このような構成にした場合には、流体導入口４８から第３の流体流路５４内に流体を流入させると、燃焼室１６から伝熱隔壁３０に伝わる熱により、流体が予熱され、予め予熱された流体が第１の流体流路４４内に送られる。そのため、本熱交換器１０の熱効率を一層向上させることが可能になる。
【００６７】
なお、第３の流体流路５４の流路形態は特に限定されるものではなく、伝熱隔壁３０の内部に任意の経路で形成することができる。第３の流体流路５４は、例えば、伝熱隔壁３０の片面に任意の経路で溝部を形成し、溝部形成面側を金属板材などで蓋をするなどすれば形成可能である。
【００６８】
次に、上記構成を備えた本熱交換器の作用について説明する。なお、以下では、図１および図２に示した本熱交換器を用いて説明する。
【００６９】
本熱交換器１０では、予混合ガス導入口２２から導入された予混合ガスＦは、予混合室１２内の予混合ガス流路２４に沿って流れ、予混合室１２の中心部にある空間２８に至る。予混合室１２の空間２８に至った予混合ガスＦは、消炎孔より燃焼室１６の燃焼空間４２に噴出される。噴出された予混合ガスＦは、着火手段により着火されて、火炎が形成されて燃焼が始まる。
【００７０】
火炎が一旦形成されると、中心部から熱くなり始め、やがて一定温度の定常状態に至る。そして、燃焼室１６の上部加熱板３４が加熱される。
【００７１】
また、燃焼により生じた排気ガスＥは、燃焼室１６内の排気ガス流路３８に沿って、中心部から外部に向かって流れ、排気ガス排出口３６から排出される。
【００７２】
なお、予混合室１２では、燃焼室１６の底板３０（伝熱隔壁）を介して伝わる燃焼室１６の熱を回収して、予混合ガスＦが十分に予熱される。
【００７３】
ここで、例えば、水道管から供給される水を、開閉バルブなどで流量調節し、流体導入口４８から第１の流体流路４４内に流入させる。そうすると、第１の流体流路４４に沿って、中心部から外部に向かって水が流れる。
【００７４】
この際、上部加熱板３４からの伝熱により、流路内の水が加熱されて温水になる。水量によっては、水がスチームに状態変化する。そして、最終的には、生成した温水やスチームは、流体吐出口５０から吐出される。
【００７５】
本熱交換器１０は、温水などの加熱された液体や、スチームなどの加熱された気体を利用する加熱調理器に好適に用いることができる。もっとも、加熱調理器以外にも、ガス給湯器、ガス床暖房などの各種ガス機器の熱交換器としても使用することが可能である。
【００７６】
以下、本熱交換器１０に流体として水を導入し、本熱交換器１０内にて生成したスチームを加熱庫内に流入させる、いわゆる、スチームコンベクションオーブンなどの加熱調理器について説明する。
【００７７】
図７は、本熱交換器をスチーム発生器として使用したスチームコンベクションオーブンの一例を模式的に示した図である。なお、以下に説明するスチームコンベクションオーブンは、間接加熱方式のものであるが、これに限定されるものではなく、高温の燃焼排気ガスを直接加熱庫内に導入する直接加熱方式のものであっても良い。
【００７８】
図７に示すように、スチームコンベクションオーブン６０は、直方体状の加熱庫６２を中心に構成されている。加熱庫６２内には、調理物６４を載置するテーブル６６が配置されている。
【００７９】
加熱庫６２の側方（図の左側）には、金網などのフィルター６８を隔てて、庫内循環ファン７０が設けられている。庫内循環ファン７０は、庫外に設けられたモータ７２によって回転駆動可能とされている。
【００８０】
庫内循環ファン７０の周りには、加熱管７４が配置されている。加熱管７４の下方から供給された熱風は、管内を流れながら加熱管７４を加熱し、上方から排気される。
【００８１】
庫内循環ファン７０からその外周方向に吹き出される庫内循環空気は、加熱管７４に当たるときに加熱される。その後、循環空気は、フィルター６８の周囲の吹き込み通路から加熱庫６２内に戻される。加熱庫６２内の空気は、庫内循環ファン７０の中心部に向けて、フィルター６８を通って吸い込まれ、庫内循環ファン７０の外周から吹き出され、加熱庫６２内を循環する。
【００８２】
ここで、加熱庫６２の上部側方には、本熱交換器１０が取り付けられている。本熱交換器１０の予混合ガス導入口２２には、配管７６が接続されており、予混合室１２内に予混合ガスＦを導入することができるようになっている。
【００８３】
なお、予混合ガスＦは、配管７６の上流に配置した空気ファン７８から供給される空気と、ガスボンベなどの燃料ガス源（不図示）から燃料配管８０を通じて供給される燃料とが適当な混合比率で混合されて生成される。
【００８４】
また、本熱交換器１０の所定の流体流路に連通する流体導入口４８には、水道管８２より供給される水を導入できるようになっている。この際、器内に導入する水量は、開閉バルブ８３の制御により、スチームが発生する最適な量に調整されている。
【００８５】
また、本熱交換器１０の流体吐出口５０には、スチーム管８４の一端が接続されており、スチーム管８４の他端は、加熱庫６２の庫内循環ファン７０上方に接続されている。これにより、本熱交換器１０で発生したスチームが、加熱庫６２内に供給される。加熱庫６２内に供給されたスチームは、庫内循環空気にのって加熱庫６２内に充満する。
【００８６】
また、本熱交換器１０の排気ガス排出口３６には、排気管８６の一端が接続されており、排気管８６の他端は、加熱管７４の下方に接続されている。そのため、排気ガスＥの排熱により、加熱管７４を加熱することができる。
【００８７】
上記スチームコンベンションオーブン６０によれば、本熱交換器１０をスチーム発生器として用いているので、高い熱効率でスチームを加熱庫６２内に供給することができる。
【００８８】
また、従来必要であった加熱タンクが不要となることから、スチームコンベンションオーブン６０の小型化が可能になる。さらに、本熱交換器１０内に導入する水量をバルブ制御で制御することにより、発生させるスチーム量を容易に制御することができ、調理性の向上に寄与する。
【００８９】
また、本熱交換器１０の燃焼室１６から排出される排気ガスＥを、加熱庫６２内の雰囲気の加熱に利用しているので、本熱交換器１０により、熱風とスチームとを同時に供給することができる。そのため、従来、熱風発生に使用していた加熱装置を省略することが可能になり、スチームコンベンションオーブン６０のさらなる小型化に寄与することが可能になる。
【００９０】
以上、実施形態に係る熱交換器、加熱調理器について説明したが、上記実施形態は、本発明を何ら限定するものではなく、種々の変形・改良などが可能なものである。
【図面の簡単な説明】
【００９１】
【図１】本実施形態に係る熱交換器の一例を模式的に示した分解斜視図である。
【図２】図１に示した熱交換器の断面を模式的に示した図である。
【図３】第１の流体流路の変形例を模式的に示した図である。
【図４】本実施形態に係る熱交換器の他の例を模式的に示した分解斜視図である。
【図５】図４に示した熱交換器の断面を模式的に示した図である。
【図６】本実施形態に係る熱交換器の他の例を模式的に示した断面図である。
【図７】本実施形態に係る熱交換器をスチーム発生器として使用したスチームコンベクションオーブンの一例を模式的に示した図である。
【符号の説明】
【００９２】
１０  本熱交換器
１２  予混合室
１６  燃焼室
１８  底板（予混合室）
２０  外周壁（予混合室）
２２  予混合ガス導入口
２４  予混合ガス流路
２６  流路壁（予混合室）
２８  空間
３０  底板（伝熱隔壁）
３２  外周壁（燃焼室）
３４  上部加熱板
３６  排気ガス排出口
３８  排気ガス流路
４０  流路壁（燃焼室）
４２  燃焼空間
４４  第１の流体流路
４６  溝部
４８  流体導入口
５０  流体吐出口
５２  第２の流体流路
５４  第３の流体流路
５６  連通管
６０  スチームコンベクションオーブン
６２  加熱庫
６４  調理物
６６  テーブル
６８  フィルター
７０  庫内循環ファン
７２  モータ
７４  加熱管
７６  配管
７８  空気ファン
８０  燃料配管
８２  水道管
８３  開閉バルブ
８４  スチーム管
８６  排気管
Ｆ    予混合ガス
Ｅ    排気ガス
【図１】
0004979508.tif 000002
【図２】
0004979508.tif 000003
【図３】
0004979508.tif 000004
【図４】
0004979508.tif 000005
【図５】
0004979508.tif 000006
【図６】
0004979508.tif 000007
【図７】
0004979508.tif 000008